(57)【要約】      （修正有）【課題】時間制御可能な多機能分離式炊飯器を提供する。【解決手段】外釜２１と、中釜２２と、加熱板２３と、通気フレーム２４と、制御スイッチ２５とで構成され、外釜に加熱時間の調整用の制御スイッチが設置され、加熱板が通気フレームに結合された後に外釜内に装設される、時間制御可能な多機能分離式炊飯器であって、中釜は外釜内に可動に納置され、外釜内に位置する通気フレームの周縁には複数のラグ部２４２が設けられると共にラグ部と外釜内壁との間にはギャップを有し、且つ通気フレームの周壁には複数の通気孔２４３が開設されて加熱板から発生する熱気の排出に用いられる。【選択図】図２
0003201417.tif 000002
【実用新案登録請求の範囲】
【請求項１】
主に外釜と、中釜と、加熱板と、通気フレームと、制御スイッチとで構成され、前記外釜には加熱時間の調整に用いられる制御スイッチが設置され、加熱板が通気フレームに結合された後に外釜内に装設される、時間制御可能な多機能分離式炊飯器であって、
前記中釜は外釜内に可動に納置され、外釜内に位置される通気フレームの周縁には複数のラグ部が設けられると共に前記ラグ部と外釜の内壁との間にはギャップを有し、且つ前記通気フレームの周壁には複数の通気孔が開設されて加熱板から発生する熱気の排出に用いられることを特徴とする時間制御可能な多機能分離式炊飯器。
【考案の詳細な説明】
【技術分野】
【０００１】
本考案は、時間制御可能な多機能分離式炊飯器に関し、より詳しくは、分離式の中釜及び外釜で構成される炊飯器であり、且つ制御スイッチ及び通気フレームが設置され、これにより炊飯器の加熱時間を制御して底部の熱気の放出を達成させる機能を有する時間制御可能な多機能分離式炊飯器に関する。
【背景技術】
【０００２】
図１は従来の炊飯器を示す外観斜視図である。主に外釜１１と、中釜１２と、内釜１３と、蓋１４とで構成される。
【考案の概要】
【考案が解決しようとする課題】
【０００３】
しかしながら、前述した従来の炊飯器１は、前記外釜１１及び中釜１２が固装されており分離できないため、加熱装置(図示せず)が中釜１２の底部に固設される。前記構造は現在まで数十年に亘って使用され続けており、使用時には中釜１２内に水を入れ、その後内釜１３を入れて炊飯や煮込みを行う。前記中釜１２は取り出すことができず、間接的に洗浄が不便になり、中釜１２に食物の臭いが残りやすく、不衛生であった。
【０００４】
また、従来の炊飯器１は炊飯以外のスープや蒸し料理に使用する場合、共に内釜１３及びスチームラック(図示せず)を使用する。まず、中釜１２内に適量の水を入れ、スイッチ１５を押して電源を通電させた後、中釜１２内に入れられた水が蒸発すると電源スイッチ１５が保温を起動させる。このため、調理時間は入れられた水の量により決定され、大量の食材を調理する場合、何度も水を加えねば調理が完了せず、使用上不便であった。
【０００５】
さらに、一般的に炊飯に使用される電気釜は、主に釜体(外釜)及び飯釜(内釜)で構成され(図示せず)、飯釜に生米が入れられた後に適量の水が加えられ、飯釜内の水が蒸発すると自動的に電源が保温を起動させる。前記飯釜の底面は弧形を呈し、中央はやや凸面になり、加熱装置に係合され、加熱時に移動するのを防ぎ、加熱効果に影響を与えない。これにより、電気釜に調理時間が設定される。
【０００６】
そこで、本考案者は上記の欠点が改善可能と考え、鋭意検討を重ねた結果、合理的設計で上記の課題を効果的に改善する本考案の提案に到った。
【０００７】
本考案は、以上の従来技術の課題を解決する為になされたものである。即ち、本考案の目的は、時間制御可能な多機能分離式炊飯器を提供する。
【課題を解決するための手段】
【０００８】
上述した課題を解決し、目的を達成するために、本考案に係る時間制御可能な多機能分離式炊飯器は、特に、中釜及び外釜が分離される炊飯器を指し、且つ制御スイッチにより調理時間の調整を行い、炊飯器は食材の加熱或いは炊飯機能を有するほか、中釜を直接使用してスープや煮物をも調理できる。主に外釜と、中釜と、加熱板と、通気フレームと、制御スイッチとで構成され、前記外釜には制御スイッチが設置され、加熱板が通気フレームに結合された後に外釜内に装設され、前記通気フレームの内周縁には位置決め孔が開設されて加熱板の固定に用いられ、通気フレームの周縁には複数のラグ部が突出され、底部の熱気がラグ部の傍のギャップから放出される。また、前記通気フレームには複数の通気孔が開設されて加熱板から発生する熱気の排出に使用される。続いて、中釜が外釜内に直接納置され、前記中釜の底部は平面状になり、加熱板が中釜の底部に直接接触され、加熱効果を高め、且つ蓋が中釜に蓋をすることで、多機能炊飯器が構成される。
【０００９】
使用において、食材が中釜内に直接入れられ、内釜を納置する必要がなく、且つ前記中釜は外釜から分離可能であり、先に食材を全て入れた後、中釜を外釜内に入れる。調理過程では、前記加熱板が発する熱により中釜の加熱を行う。然しながら、前記炊飯器の内部の温度が高過ぎると、事故に繋がる危険があるため、加熱板の外周に位置される通気フレームに複数の通気孔が設置され、且つ前記通気フレーム及び外釜にギャップが形成されるため、加熱板が発生する熱気は通気孔及びギャップから排出され、炊飯器内部が高温になるのを回避させ、炊飯器の耐用年数を延長させる。
【００１０】
このほか、従来の炊飯器は中釜に水を入れてから食材を内釜に入れて使用するが、本考案は一般的な炊飯器の使用方式とは異なり、主に中釜で直接調理を行い、水を加えたり内釜を使用する必要がない。また、調理する食材に合わせて制御スイッチの調理時間を設定でき、起動後に設定時間に基づいて１回で調理が完成する。前記中釜内の水量が多くとも（例えば、鍋料理やスープ等）、設定時間に基づいて調理を完成し、中釜内に水があるため炊飯器が不断で加熱を行うようなことはない。このほか、本考案は設定時間に従って食材の調理を行うが、従来の方式を利用して水を中釜内に入れた後、内釜を入れて調理を行うこともでき、多機能化の目的を達成させる。
【００１１】
また、前記中釜及び外釜が分離式であるため、中釜を任意で取り出して洗浄でき、確実に中釜の洗浄を行え、食物の臭いが残らず、洗浄時に外釜の回路に影響を与えないため、従来の炊飯器に比べて高い実用性及び進歩性を有する。前記中釜は一般的なスープ釜としても使用でき、炊飯器として加熱できるほか、ガスコンロや電磁調理器に直接載置して加熱を行うこともでき、使用上非常に便利であり、極めて好ましい付加価値を有し、多機能化の目的を達成させる。
【図面の簡単な説明】
【００１２】
【図１】従来の炊飯器を示す外観斜視図である。
【図２】本考案の展開図である。
【図３】本考案の加熱板の組立図である。
【図４】本考案の構成の概念図である。
【図５】本考案の使用の概念図である。
【図６】本考案の他の実施形態の使用の概念図である。
【図７】本考案の一実施形態の制御スイッチの概念図である。
【図８】本考案の他の実施形態の制御スイッチの概念図である。
【考案を実施するための形態】
【００１３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１４】
図２は本考案の展開図である。主に外釜２１と、中釜２２と、加熱板２３と、通気フレーム２４と、制御スイッチ２５とで構成される。前記外釜２１には制御スイッチ２５が設置され、加熱時間の調整に用いられる。加熱板２３が通気フレーム２４に結合された後に外釜２１内に装設され、前記通気フレーム２４の内周縁には位置決め孔２４１が開設され、図３に示すように、加熱板２３の固定に用いられ、通気フレーム２４の周縁からは複数のラグ部２４２が外に向けて突出されて、底部の熱気がラグ部２４２の傍のギャップから放出される(図４参照)。また、前記通気フレーム２４の周壁には複数の通気孔２４３が開設され、加熱板２３から発生する熱気の排出に使用される。次に、中釜２２が外釜２１内に直接納置され、前記中釜２２の底部は平面状になり、加熱板２３が中釜２２の底部に直接接触されることで加熱の効果を高め、且つ蓋２６により中釜２２が蓋をされて、多機能炊飯器２が構成される。
【００１５】
図５に示すように、使用において、調理する食材が中釜２２内に直接入れられるため、内釜を納置させる必要がなく、且つ前記中釜２２は外釜２１から分離できる。ゆえに、先に食材を全て入れた後、中釜２２を外釜２１内に入れ、調理過程では、前記加熱板２３が発する熱により中釜２２の加熱を行う(図４参照)。然しながら、前記加熱板２３の放熱は好ましくなく、炊飯器２内の温度が高くなり過ぎ、事故が起こる危険性がある。このため、加熱板２３の外周に位置される通気フレーム２４に複数の通気孔２４３が設置され、且つ前記通気フレーム２４のラグ部２４２及び外釜２１の内壁にギャップ２４４が形成され、加熱板２３から発生する熱気は通気孔２４３及びラグ部２４２の傍のギャップ２４４を通して排出され、加熱板２３が不断で加熱されるのを回避させ、炊飯器２内部の温度が高くなっても、炊飯器２の耐用年数を延長させる。
【００１６】
このほか、従来の炊飯器１は中釜１２に水を入れてから食材を内釜１３に入れて使用する（図１参照）。本考案は一般的な炊飯器１の使用方式とは違い、主に中釜２２で直接調理を行い、図５に示すように、水を加えたり内釜を使用せず、調理する食材に合わせて制御スイッチ２５の調理時間を設定し、起動後に設定時間に基づいて１回で調理が完成し、前記中釜２２内の水量が多くとも（例えば、鍋料理やスープ等）、設定時間に基づいて調理が完成し、中釜２２水があるため炊飯器が不断で加熱を行うようなことはない。このほか、本考案は設定時間に従って食材の調理を行うが、従来の方式で水を中釜２２内に入れ、内釜２７を中釜２２に入れて調理を行うこともでき、多機能化の目的を達成させる（図６参照）。
【００１７】
図７に示すように、制御スイッチ２５の実施方式は、前記外釜２１に設置される制御スイッチ２５により、主に加熱時間が設定され、制御スイッチ２５を回すことで、食材に合わせて調理時間を調整できる。図中には機械式で図示するが、当然ながら、図８に示す電子式で設置されてもよく、前記制御スイッチ２５を電子式に変更しても機能は完全に同じであり、ただし、どちらの方式でも中釜２２を利用して調理時間を直接調整する。
【００１８】
本考案の特色は、中釜２２を使用して食材を調理する場合、調理する食材に合わせて調理時間を設定し、水を加える必要がなく、非常に便利で実用性が高い。ただし、従来の炊飯器１では内釜１３のみを使用して食材の調理を行い（図１参照）、中釜１２を直接使用して調理することはできず、中釜１２を取り出して洗浄するのが難しいほか、使用も面倒でわり、一般的には加える水の量は使用者自身の経験に基づいており、毎回調理品質を維持させるのは難しい。さらに重要なのは、前記中釜１２に水を入れ過ぎると、中釜１２内の水が蒸発した後に電源が切れるため、外出中や注意を怠っている場合、大量の電力を消費してしまい、さらには事故が起こる危険性もあった。また、食材も過度に煮詰められて食用できなくなることもある。よって、本考案の改良の特徴は、制御スイッチ２５により食材の調理時間を調整して制御するため(図８参照)、誰でも簡単に操作でき、おいしい料理が作れる。
【００１９】
このように、本考案は炊飯器２の中釜２２及び外釜２１が分離式に設計されるため、図２に示すように、中釜２２を随時取り出して一般的な釜として使用できる。時間を設定する制御スイッチ２５により、食材に合わせて調理時間を設定して自動的に電源が切れるため、炊飯器２が自動で電源を切れないという問題の憂慮がなくなり、安全性が高い。特に、前記中釜２２は取り出して簡単に洗浄が行えるほか、ガスコンロや電磁調理器で直接加熱することができ、一般的な釜としても使用できるため付加価値が高く、従来の炊飯器１よりも明確に高い進歩性を有する（図示せず）。
【００２０】
上述のように、本考案は炊飯器が分離式に設計されるため、中釜及び外釜を分離でき、且つ時間の設定に用いられる制御スイッチが外釜に設置される。炊飯器は中釜を直接使用して食材の調理を行い、調理時間の異なる食材に合わせて調理時間を設定できるため、便利で実用性が高く、炊飯器に使用上の付加価値を与える。また、前記分離式の中釜は簡単に取り出せるため、洗浄が便利になるほか、一般的な釜としても使用できる。
【００２１】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００２２】
（従来の技術）
１  炊飯器
１１  外釜
１２  中釜
１３  内釜
１４  蓋
１５  スイッチ
（本考案）
２  炊飯器
２１  外釜
２２  中釜
２３  加熱板
２４  通気フレーム
２４１  位置決め孔
２４２  ラグ部
２４３  通気孔
２４４  ギャップ
２５  制御スイッチ
２６  蓋
２７  内釜
【図１】
0003201417.tif 000003
【図２】
0003201417.tif 000004
【図３】
0003201417.tif 000005
【図４】
0003201417.tif 000006
【図５】
0003201417.tif 000007
【図６】
0003201417.tif 000008
【図７】
0003201417.tif 000009
【図８】
0003201417.tif 000010